(57)【要約】      （修正有）【課題】移動フードの案内突起と、リールシートの案内溝との間の案内をスムーズにしつつ接触領域を増やすことで、移動フード並びにリールシート本体の案内性能や耐久性を向上させた釣竿用リールシートを提供する。【解決手段】釣竿用リールシート９は、リール脚６ａが載置されるリール脚載置部と、左右一対の案内溝２９及び下側の案内溝３０と、が形成されたリールシート本体１２と、リールシート本体１２の案内溝に案内される案内突起を備え、リールシート９の軸線方向に沿って移動可能に構成された筒状の移動フード２２と、を備え、下側の案内溝３０は、リールシート本体１２の半径方向の溝の深さが、下側の案内溝３０の端部領域で案内溝３０の先端に向かうにつれ徐々に浅くなるよう構成される。【選択図】図３
2019176777.tif 000002
【特許請求の範囲】
【請求項１】
リール脚が載置されるリール脚載置部と、左右一対の案内溝及び下側の案内溝と、が形成されたリールシート本体と、該リールシート本体の案内溝に案内される案内突起を備え、該リールシートの軸線方向に沿って移動可能に構成された筒状の移動フードと、を備えた釣竿用リールシートであって、
前記下側の案内溝は、前記リールシート本体の半径方向の溝の深さが、該下側の案内溝の端部領域で該案内溝の先端に向かうにつれ徐々に浅くなるよう構成されることを特徴とする、釣竿用リールシート。
【請求項２】
前記下側の案内溝は、前記リールシートの軸線を基準として、前記リール脚載置部とは反対側に形成される、請求項１に記載の釣竿用リールシート。
【請求項３】
前記左右一対の案内溝は、前記リールシート本体の半径方向の溝の深さが、該左右一対の案内溝端部領域で該案内溝の先端に向かうにつれ徐々に浅くなるよう構成される、請求項１又は２に記載の釣竿用リールシート。
【請求項４】
前記リールシートの軸線方向における前記下側の案内溝の端部領域の長さは、前記リールシートの軸線方向における前記左右一対の案内溝の端部領域の長さと異なる、請求項１から請求項３のいずれか１項に記載の釣竿用リールシート。
【請求項５】
前記リールシートの軸線方向における前記下側の案内溝の端部領域の長さは、前記リールシートの軸線方向における前記左右一対の案内溝の端部領域の長さと同じ若しくはそれより短い、請求項４に記載の釣竿用リールシート。
【請求項６】
前記左右一対の案内溝は、その長手方向が前記リールシートの軸線と略平行となるように形成され、該案内溝の端部領域では、前記下側の方向に傾斜している、請求項１から５までのいずれか１項に記載の釣竿用リールシート。
【請求項７】
前記左右一対の案内溝の、前記下側の方向への傾斜の開始位置は、前記リールシートの軸線方向でみて、前記下側の案内溝の、前記リールシート本体の半径方向の溝の深さが浅くなり始める位置とは異なる、請求項６に記載の釣竿用リールシート。
【請求項８】
前記左右一対の案内溝の、前記下側の方向への傾斜の開始位置は、前記リールシートの軸線方向かつ前記リール脚を固定する方向でみて、前記下側の案内溝の、前記リールシート本体の半径方向の溝の深さが浅くなり始める位置と同じ若しくはそれよりも手前である、請求項６に記載の釣竿用リールシート。
【請求項９】
該リールシートの軸線方向に沿って移動可能に構成された筒状の移動フードの案内突起は、前記左右一対の案内溝に対応する左右一対の案内突起と、前記下側の案内溝に対応する下側の案内突起と、で構成され、前記下側の案内突起の、前記リールシートの軸線方向でみた断面形状は、略長方形の形状に形成される、請求項１から８までのいずれか１項に記載の釣竿用リールシート。
【請求項１０】
該リールシートの軸線方向に沿って移動可能に構成された筒状の移動フードの案内突起は、前記左右一対の案内溝に対応する左右一対の案内突起と、前記下側の案内溝に対応する下側の案内突起と、で構成され、前記下側の案内突起の、前記リールシートの軸線方向でみた断面形状は、略長方形の形状であるが先端部分がテーパして形成される、請求項１から８までのいずれか１項に記載の釣竿用リールシート。
【請求項１１】
該リールシートの軸線方向に沿って移動可能に構成された筒状の移動フードの案内突起は、前記左右一対の案内溝に対応する左右一対の案内突起と、前記下側の案内溝に対応する下側の案内突起と、で構成され、前記下側の案内突起の、前記リールシートの軸線方向でみた断面形状は、略逆Ｕ字の形状に形成される、請求項１から８までのいずれか１項に記載の釣竿用リールシート。
【請求項１２】
該リールシートの軸線方向に沿って移動可能に構成された筒状の移動フードの案内突起は、前記左右一対の案内溝に対応する左右一対の案内突起と、前記下側の案内溝に対応する下側の案内突起と、で構成され、前記下側の案内突起の、前記リールシートの軸線方向でみた断面形状は、略長方形の形状であるが先端部分が曲線により緩やかにテーパして形成される、請求項１０に記載の釣竿用リールシート。
【発明の詳細な説明】
【技術分野】
【０００１】
本発明は、釣竿にリールを固定するための釣竿用リールシート及びこれを備えた釣竿に関する。
【背景技術】
【０００２】
釣竿にリールを固定するための釣竿用リールシートとして、リールシート本体に外装される筒状の可動フードを備えたものが知られている。
【０００３】
このようなリールシートでは、リールシート本体の上側又は下側にリール脚を載置するためのリール脚載置部が形成され、左右両側にはそれぞれ案内溝が形成される。
【０００４】
このようなリールシートは、例えば、特許文献１に開示されている。特許文献１では、リール脚を固定する際に可動フードが傾くことを抑制することができる釣竿用リールシート及び釣竿を提供することを目的としている。
【先行技術文献】
【特許文献】
【０００５】
【特許文献１】特開２０１５−１６７５０８号公報
【発明の概要】
【発明が解決しようとする課題】
【０００６】
しかしながら、リール脚を固定する際、可動フードがリール脚の端部に乗り上げて上側に傾くため、特許文献１に係る態様を含め、従来の構成では、案内溝と接触する、可動フードの内周面に設けられた係合突起は、案内溝と２箇所で接触するのみであり、当該接触部分に過大な負荷が掛かり、また当該案内溝が係合突起を必ずしもスムーズに案内することが難しく、可動フードの係合突起ないしリールシート本体の案内溝の案内性能や耐久性を十分に確保することが難しいという問題があった。
【０００７】
本発明は上記の事情に鑑みてなされたものであり、その目的とするところは、移動フードの案内突起と、リールシートの案内溝との間の案内をスムーズにしつつ接触領域を増やすことで、移動フード並びにリールシート本体の案内性能や耐久性を向上させることにある。本発明のこれら以外の目的は、本明細書全体を参照することにより明らかとなる。
【課題を解決するための手段】
【０００８】
本発明の一実施形態に係る釣竿用リールシートは、リール脚が載置されるリール脚載置部と、左右一対の案内溝及び下側の案内溝と、が形成されたリールシート本体と、該リールシート本体の案内溝に案内される案内突起を備え、該リールシートの軸線方向に沿って移動可能に構成された筒状の移動フードと、を備え、前記下側の案内溝は、前記リールシート本体の半径方向の溝の深さが、該下側の案内溝の端部領域で該案内溝の先端に向かうにつれ徐々に浅くなるよう構成される。
【０００９】
本発明の一実施形態に係る釣竿用リールシートは、前記下側の案内溝が、前記リールシートの軸線を基準として、前記リール脚載置部とは反対側に形成される。
【００１０】
本発明の一実施形態に係る釣竿用リールシートは、前記左右一対の案内溝が、前記リールシート本体の半径方向の溝の深さが、該左右一対の案内溝端部領域で該案内溝の先端に向かうにつれ徐々に浅くなるよう構成される。
【００１１】
本発明の一実施形態に係る釣竿用リールシートは、前記リールシートの軸線方向における前記下側の案内溝の端部領域の長さが、前記リールシートの軸線方向における前記左右一対の案内溝の端部領域の長さと異なるよう構成される。
【００１２】
本発明の一実施形態に係る釣竿用リールシートは、前記リールシートの軸線方向における前記下側の案内溝の端部領域の長さが、前記リールシートの軸線方向における前記左右一対の案内溝の端部領域の長さと同じ若しくはそれより短くなるよう構成される。
【００１３】
本発明の一実施形態に係る釣竿用リールシートは、前記左右一対の案内溝が、その長手方向が前記リールシートの軸線と略平行となるように形成され、該案内溝の端部領域では、前記下側の方向に傾斜している。
【００１４】
本発明の一実施形態に係る釣竿用リールシートは、前記左右一対の案内溝の、前記下側の方向への傾斜の開始位置が、前記リールシートの軸線方向でみて、前記下側の案内溝の、前記リールシート本体の半径方向の溝の深さが浅くなり始める位置とは異なるよう構成される。
【００１５】
本発明の一実施形態に係る釣竿用リールシートは、前記左右一対の案内溝の、前記下側の方向への傾斜の開始位置が、前記リールシートの軸線方向かつ前記リール脚を固定する方向でみて、前記下側の案内溝の、前記リールシート本体の半径方向の溝の深さが浅くなり始める位置と同じ若しくはそれよりも手前であるよう構成される。
【００１６】
本発明の一実施形態に係る釣竿用リールシートは、該リールシートの軸線方向に沿って移動可能に構成された筒状の移動フードの案内突起が、前記左右一対の案内溝に対応する左右一対の案内突起と、前記下側の案内溝に対応する下側の案内突起と、で構成され、前記下側の案内突起の、前記リールシートの軸線方向でみた断面形状は、略長方形の形状に形成される。
【００１７】
本発明の一実施形態に係る釣竿用リールシートは、該リールシートの軸線方向に沿って移動可能に構成された筒状の移動フードの案内突起が、前記左右一対の案内溝に対応する左右一対の案内突起と、前記下側の案内溝に対応する下側の案内突起と、で構成され、前記下側の案内突起の、前記リールシートの軸線方向でみた断面形状は、略長方形の形状であるが先端部分がテーパして形成される。
【００１８】
本発明の一実施形態に係る釣竿用リールシートは、該リールシートの軸線方向に沿って移動可能に構成された筒状の移動フードの案内突起が、前記左右一対の案内溝に対応する左右一対の案内突起と、前記下側の案内溝に対応する下側の案内突起と、で構成され、前記下側の案内突起の、前記リールシートの軸線方向でみた断面形状は、略逆Ｕ字の形状に形成される。
【００１９】
本発明の一実施形態に係る釣竿用リールシートは、該リールシートの軸線方向に沿って移動可能に構成された筒状の移動フードの案内突起が、前記左右一対の案内溝に対応する左右一対の案内突起と、前記下側の案内溝に対応する下側の案内突起と、で構成され、前記下側の案内突起の、前記リールシートの軸線方向でみた断面形状は、略長方形の形状であるが先端部分が曲線により緩やかにテーパして形成される。
【発明の効果】
【００２０】
上記実施形態によれば、可動フードがリール脚の端部に乗り上げることによる上側方向の力と反対側の力を的確に発生させると共に、移動フードの案内突起と、リールシートの案内溝との間の案内をスムーズとしつつ接触領域を増やすことで、移動フード並びにリールシート本体の案内性能及び耐久性を向上させることが可能となる。
【図面の簡単な説明】
【００２１】
【図１】本発明の一実施形態に係る釣竿を示す図である。
【図２】本発明の一実施形態に係る釣竿用リールシートを示す図である。
【図３】本発明の一実施形態に係る案内溝及び突起を示す図である。
【図４ａ】本発明の一実施形態に係る案内溝及び突起を示す図である。
【図４ｂ】本発明の一実施形態に係る案内溝及び突起を示す図である。
【図５ａ】本発明の一実施形態に係る案内溝及び突起を示す図である。
【図５ｂ】本発明の一実施形態に係る案内溝及び突起を示す図である。
【図６ａ】本発明の一実施形態に係る案内溝及び突起を示す図である。
【図６ｂ】本発明の一実施形態に係る案内溝及び突起を示す図である。
【図７ａ】本発明の一実施形態に係る案内溝及び突起を示す図である。
【図７ｂ】本発明の一実施形態に係る案内溝及び突起を示す図である。
【図８ａ】本発明の一実施形態に係る案内溝及び突起を示す図である。
【図８ｂ】本発明の一実施形態に係る案内溝及び突起を示す図である。
【図９ａ】本発明の一実施形態に係る案内溝及び突起を示す図である。
【図９ｂ】本発明の一実施形態に係る案内溝及び突起を示す図である。
【図１０ａ】本発明の一実施形態に係る案内溝及び突起を示す図である。
【図１０ｂ】本発明の一実施形態に係る案内溝及び突起を示す図である。
【図１１ａ】本発明の一実施形態に係る案内溝及び突起を示す図である。
【図１１ｂ】本発明の一実施形態に係る案内溝及び突起を示す図である。
【発明を実施するための形態】
【００２２】
以下、本発明に係る釣竿の実施形態について、添付図面を参照しながら具体的に説明する。複数の図面において共通する構素には当該複数の図面を通じて同一の参照符号が付されている。各図面は、説明の便宜上、必ずしも正確な縮尺で記載されているとは限らない点に留意されたい。
【００２３】
図１は、本発明に係る釣竿の一実施形態を示す図である。図示のように、本発明の一実施形態による釣竿１は、竿体２と、竿体２にリールシート９を介して取り付けられたリールＲと、竿体２に取り付けられた釣糸ガイド１０と、を備える。図示の実施形態においては、リールシート９及び釣糸ガイド１０の各々が、竿体の外周面に取り付けられる取付部品に該当する。
【００２４】
竿体２は、例えば、元竿３、中竿５、及び穂先竿７等を連結することによって構成されている。これらの各竿体は、例えば、並継ぎ式に継合される。元竿３、中竿５、及び穂先竿７は、振出方式、逆並継方式、インロー方式、又はこれら以外の公知の任意の継合方式により継合され得る。竿体２は、単一の竿体から構成されていても良い。
【００２５】
元竿３、中竿５、及び穂先竿７は、例えば、繊維強化樹脂製の管状体で構成されている。この繊維強化樹脂製の管状体は、強化繊維にマトリクス樹脂を含浸させた繊維強化樹脂プリプレグ（プリプレグシート）を芯金に巻回し、このプリプレグシートを加熱して硬化させることにより作成される。このプリプレグシートに含まれる強化繊維として、例えば、炭素繊維、ガラス繊維、及びこれら以外の任意の公知の強化繊維を用いることができる。当該プリプレグシートに含まれるマトリクス樹脂として、エポキシ樹脂等の熱硬化性樹脂を用いることができる。プリプレグシートが硬化された後には、芯金が脱芯される。また、管状体の外表面は、適宜研磨される。各竿体は、中実状に構成されてもよい。
【００２６】
図示の実施形態において、元竿３、中竿５及び穂先竿７には、リールシート９に装着されるリール６から繰り出される釣糸を案内する複数の釣糸ガイド１０（釣糸ガイド１０Ａ〜１０Ｄ）が設けられている。より具体的には、元竿３には釣糸ガイド１０Ａが設けられ、中竿５には釣糸ガイド１０Ｂが設けられ、穂先竿７には釣糸ガイド１０Ｃが設けられている。穂先竿７の先端には、トップガイド１０Ｄが設けられている。
【００２７】
図示の実施形態において、リールシート９は、元竿３の外周面に取り付けられている。
【００２８】
次に、図２を参照して、リールシート９についてさらに説明する。リールシート９は、魚釣用リール６のリール脚６ａが載置されるリール脚載置面１２ａをその軸方向に沿って有するリールシート本体１２を備えている。リールシート本体１２は、全体として筒状に形成されている。また、リールシート本体１２は、合成樹脂（例えばポリアミド系合成繊維やＡＢＳ樹脂等）あるいは金属（例えばＳＵＳ、アルミニウム、チタン、真鍮等）等の適宜の材料から形成されている。
【００２９】
このリールシート本体１２は、リール脚載置面１２ａの反対側を僅かに膨出させ、握持する手で握り込んだときに、母指球またはその近部を支えることで握持し易い湾曲形状の外面を有する握り部１２ｂを形成してある。
【００３０】
リールシート本体１２のリール脚載置面１２ａは、平坦または、リールシート本体１２のリール脚載置面１２ａに隣接する他の周方向の部位（例えば握り部１２ｂ）よりも大きな曲率をもって略平坦に形成され、かつ、図２および図３に示す下側にリールシート本体１２の軸方向に延びた状態に形成されている。リールシート本体１２は、一端（竿先側）に固定フード１４が一体的に配設されている。リールシート本体１２のリール脚載置面１２ａの一端は、固定フード１４の内部に配設されている。
【００３１】
リールシート本体１２は、他端（竿元側）に後述する案内溝が形成された筒状部１６およびネジ部１８が一体的に設けられている。筒状部１６には、リールシート本体１２のリール脚載置面１２ａに連続して、又は、僅かな段差をもって筒状部載置面１６ａが形成されている。本発明の一実施形態では、リール脚載置面（リール脚載置部）１２ａと筒状部載置面１６ａとの間は、リール脚６ａの裏面（底面）６ｂが載置される後述するリール脚保持部２８の裏面保持部２８ａおよびリール脚載置面１２ａの間をできるだけ面一にするように、リール脚保持部２８の裏面保持部２８ａが配設される分の段差が形成されている。筒状部載置面１６ａは、ネジ部１８にも連続して形成されている。筒状部１６およびネジ部１８の外側には、移動フード２２が軸方向に移動自在に装着される。
【００３２】
図２に示すように、リールシート本体１２の固定フード１４には、リール脚６ａの一端を受け入れる開口部１４ａが移動フード２２に向けて開口されている。この固定フード１４の開口部１４ａは、リールシート本体１２の前方に向けて次第に内面の高さが低くなるように形成されている。この開口部１４ａにリール脚６ａの一端を受け入れ、リール脚６ａの一端が開口部１４ａにより押圧されたときに、このリール脚６ａを固定フード１４内に配設されたリール脚載置面１２ａ側に向けて付勢する（押し付ける）。
【００３３】
なお、固定フード１４は、リールシート本体１２に一体的に配設されている場合に限らず、金属又は硬質の合成樹脂でリールシート本体１２と別体構造に形成し、リールシート本体１２に強固に固定してもよい。金属で形成する場合には、リール６のリール脚６ａに当接する部位に樹脂製部材を配置し、金属間の接触による各部材の損傷を防止することが好ましい。
【００３４】
本実施形態の移動フード２２は、リールシート本体１２のネジ部１８が挿通される軸方向孔２２ａを貫通させたスリーブ状に形成してあり、締付用ナット２４と、フード本体２６と、このフード本体２６の内側に固定されたリール脚保持部２８とを有する。フード本体２６の後端には締付用ナット２４が回転自在に連結されている。そして、締付用ナット２４は例えば合成樹脂、金属、ポリアミド系合成繊維、ＡＢＳ樹脂、アルミニウム、真鍮等により形成され、フード本体２６は例えば金属（ＳＵＳ、真鍮）等により形成され、リール脚保持部２８は例えばポリアミド系合成繊維等により形成されている。リール脚保持部２８は、後述する連結部２８ｃで裏面保持部（フード挟持部）２８ａおよび表面保持部２８ｂを適当な範囲でバネ性をもって開閉するように、適度な弾性を有する材料で形成される。
【００３５】
締付用ナット２４はネジ部１８に螺合する雌ネジを内周側に形成し、外周側は滑り難く回転操作し易く形成されている。締付用ナット２４の前端部は、フード本体２６の後端部と相対回転自在でかつ抜け止めされた状態で連結されている。締付用ナット２４の前端で径方向外方に拡径した状態に延びるフランジ部に、フード本体２６の後端で径方向内方に縮径した状態に延びるフランジ部が嵌合され、自在に相対回転を可能としつつ抜け止めするよう構成してもよい。なお、締付用ナット２４とフード本体２６との連結構造は、逆の構造であっても良い。すなわち、締付用ナット２４の前端の径方向内方に縮径した状態に延びるフランジ部に、フード本体２６の後端の径方向外方に拡径した状態に延びるフランジ部が嵌合され、自在に相対回転を可能としつつ抜け止めすることも好ましい。また、径方向内方や径方向外方に延びるフランジ部は、全周にわたって連続することが好ましいが、不連続であってもよい。
【００３６】
締付用ナット２４は、リールシート本体１２のネジ部１８に螺合され、かつ、回転可能に配設されている。フード本体２６は締付用ナット２４に連結されている。このため、ネジ部１８に対して締付用ナット２４を正方向に回転させると、締付用ナット２４が固定フード１４に対して近接するとともに移動フード２２のフード本体２６が固定フード１４に対して近接する。一方、ネジ部１８に対して締付用ナット２４を逆方向に回転させると締付用ナット２４が固定フード１４に対して離隔するとともに移動フード２２のフード本体２６が固定フード１４に対して離隔する。
【００３７】
この締付用ナット２４の回転によりリールシート本体１２の軸方向に移動されるフード本体２６は、前方および内周側に開口し、魚釣用リール６のリール脚６ａの後端を受け入れるリール脚保持部２８が配設された状態で固定される開口部２６ａを有する。このフード本体２６の開口部２６ａは、移動フード２２をリールシート本体１２のネジ部１８に装着したときに、固定フード１４の開口部１４ａに対向する。フード本体２６の開口部２６ａは、固定フード１４の開口部１４ａとは逆に、後方に向けて次第に内面の高さが低くなるように形成されている。
【００３８】
次に、図３を用いて、リールシート本体１２の筒状部１６およびネジ部１８に形成された案内溝について説明する。図３に示すように、リールシート本体１２の外周面には、雄ネジが形成されたネジ部１８と雄ネジが形成されていない筒状部１６とが形成される。そして、ネジ部１８を部分的に切り欠くようにして左右一対の案内溝２９及び下側の案内溝（下部に形成される案内溝）３０が軸線方向にそれぞれ延びて形成されている。
【００３９】
当該左右一対の案内溝２９は、移動フード２２を軸線方向に案内するためのものであって、リールシート本体１２の左右両側部にそれぞれ形成されており、リール脚載置面１２ａを周方向の０度としたとき、プラスマイナス９０度の位置にあって、左右の案内溝２９は互いに１８０度対向した位置関係にある。一方、当該下側の案内溝３０は、同様に移動フード２２を軸線方向に案内するためのものであって、リールシート本体１２の下側に形成されており、リール脚載置面１２ａを周方向の０度としたとき、１８０度（又はマイナス１８０度）の位置にある。本発明の一実施形態に係る釣竿用リールシートは、下側の案内溝３０が、リールシートの軸線を基準として、リール脚載置部１２ａとは反対側に形成されるが、必ずしも厳密な意味で上記１８０度の位置にあることを意図するものではない。
【００４０】
案内溝２９、３０は、リールシート本体１２のネジ部１８だけでなく、当該ネジ部１８を越えて筒状部１６まで形成されている。尚、案内溝２９に沿って、リール脚６ａを固定する際には移動フード２２を前方（若しくは後述する後方）に移動させてリールシート本体１２の固定フード１４に接近させ、リール脚６ａの固定を解除する際には移動フード２２をリールシート本体１２の固定フード１４から離すように後方（若しくは前方）に移動させる。
【００４１】
移動フード２２の内周面には案内溝２９と係合する案内突起（係合凸部）３１が左右一対形成されている。該案内突起３１は突条の如く軸線方向に沿って所定長さ延びた形状となっており、その上下の幅は案内溝２９の上下の幅よりも小さく、案内突起３１と案内溝２９との間には上下に所定のクリアランスが形成される。
【００４２】
図３に示すように、本発明の一実施形態に係る釣竿用リールシート１０は、リール脚６ａが載置されるリール脚載置部１２ａと、左右一対の案内溝２９と、が形成されたリールシート本体１２と、リールシート本体１２の左右一対の案内溝２９に案内される左右一対の案内突起３１を備え、該リールシート１０の軸線方向に沿って移動可能に構成された筒状の移動フード２２と、を備える。
【００４３】
また、本発明の一実施形態に係る釣竿用リールシート１０のリールシート本体１２には、下側の案内溝３０も形成され、該リールシート本体の該案内溝３０に案内される下側の案内突起３２を備え、該下側の案内溝３０は、リールシート本体１２の半径方向の溝の深さが、該下側の案内溝の端部領域３０Ａで該案内溝３０の先端に向かうにつれ徐々に浅くなるよう構成される。当該端部領域３０Ａにおける溝の深さは、例えば、０．５ｍｍ−０．７ｍｍの間で変化するよう構成される（例えば、当該領域で０．２ｍｍ程度浅くなるよう構成する）。
【００４４】
これにより、可動フードがリール脚の端部に乗り上げることによる上側方向の力と反対側の力を的確に発生させると共に、移動フードの案内突起と、リールシートの案内溝との間の案内をスムーズとしつつ接触領域を増やすことで、移動フード並びにリールシート本体の案内性能及び耐久性を向上させることが可能となる。
【００４５】
なお、図示の例では、案内溝２９は、リール脚を固定する場合の移動方向若しくは釣竿の前方向に延伸するように形成されているが、移動フードと固定フードの位置関係が移動フードの移動方向で逆の位置関係となる態様も考えられる（以下同様である）。
【００４６】
図４ａ、ｂに、本発明の一実施形態に係る釣竿用リールシートの案内溝及び案内突起の構成を示す。図４ａに示すように、本発明の一実施形態に係る釣竿用リールシート１０は、リール脚６ａが載置されるリール脚載置部１２ａと、左右一対の案内溝２９と、が形成されたリールシート本体１２と、リールシート本体１２の左右一対の案内溝２９に案内される左右一対の案内突起３１を備え、該リールシート１０の軸線方向に沿って移動可能に構成された筒状の移動フード２２と、を備える。
【００４７】
また、図４ａに示すように、本発明の一実施形態に係る釣竿用リールシート１０のリールシート本体１２には、下側の案内溝３０も形成され、該リールシート本体の該案内溝３０に案内される下側の案内突起３２を備え、該下側の案内溝３０は、リールシート本体１２の半径方向の溝の深さが、該下側の案内溝の端部領域３０Ａで該案内溝３０の先端に向かうにつれ徐々に浅くなるよう構成される。当該端部領域３０Ａにおける溝の深さは、例えば、０．５ｍｍ−０．７ｍｍの間で変化するよう構成される。
【００４８】
図４ｂに示すように、本発明の一実施形態に係る釣竿用リールシート１０は、左右一対の案内溝２９は、リールシート本体１２の半径方向の溝の深さが、該左右一対の案内溝２９の端部領域２９Ａで該案内溝２９の先端に向かうにつれ徐々に浅くなるよう構成される。当該端部領域３０Ａにおける溝の深さは、例えば、０．５ｍｍ−０．７ｍｍの間で変化するよう構成される。図示の例では、左右一対の案内溝２９の端部領域２９Ａと、下側の案内溝の端部領域３０Ａとは、リールシート１０の軸線方向（紙面の左右方向）で同じ長さ（Ａ）を備えるように構成されているが、これらの長さが異なるように形成されていても構わない。
【００４９】
これにより、可動フードがリール脚の端部に乗り上げることによる上側方向の力と反対側の力をより的確に発生させると共に、移動フードの案内突起と、リールシートの案内溝との間の案内をスムーズとしつつ接触領域を増やすことで、移動フード並びにリールシート本体の案内性能及び耐久性を向上させることが可能となる。
【００５０】
図５ａ、ｂに、本発明の一実施形態に係る釣竿用リールシートの案内溝及び案内突起の構成を示す。図５ａに示すように、本発明の一実施形態に係る釣竿用リールシート１０は、リール脚６ａが載置されるリール脚載置部１２ａと、左右一対の案内溝２９と、が形成されたリールシート本体１２と、リールシート本体１２の左右一対の案内溝２９に案内される左右一対の案内突起３１を備え、該リールシート１０の軸線方向に沿って移動可能に構成された筒状の移動フード２２と、を備える。
【００５１】
また、図５ａに示すように、本発明の一実施形態に係る釣竿用リールシート１０のリールシート本体１２には、下側の案内溝３０も形成され、該リールシート本体の該案内溝３０に案内される下側の案内突起３２を備え、該下側の案内溝３０は、リールシート本体１２の半径方向の溝の深さが、該下側の案内溝の端部領域３０Ａで該案内溝３０の先端に向かうにつれ徐々に浅くなるよう構成される。当該端部領域３０Ａにおける溝の深さは、例えば、０．５ｍｍ−０．７ｍｍの間で変化するよう構成される。
【００５２】
図５ｂに示すように、本発明の一実施形態に係る釣竿用リールシート１０は、左右一対の案内溝２９は、リールシート本体１２の半径方向の溝の深さが、該左右一対の案内溝２９の端部領域２９Ａで該案内溝２９の先端に向かうにつれ徐々に浅くなるよう構成される。当該端部領域３０Ａにおける溝の深さは、例えば、０．５ｍｍ−０．７ｍｍの間で変化するよう構成される。
【００５３】
本発明の一実施形態に係る釣竿用リールシート１０は、前記リールシート１０の軸線方向における前記下側の案内溝３０の端部領域３０Ａの長さ（Ｂ）が、前記リールシート１０の軸線方向における前記左右一対の案内溝２９の端部領域２９Ａの長さ（Ａ）と同じ若しくはそれより短くなるよう構成される。図示の例では、前記リールシート１０の軸線方向における前記下側の案内溝３０の端部領域３０Ａの長さ（Ｂ）が、前記リールシート１０の軸線方向における前記左右一対の案内溝２９の端部領域２９Ａの長さ（Ａ）とよりも短くなるよう構成されているが、これに限られない。
【００５４】
これにより、可動フードがリール脚の端部に乗り上げることによる上側方向の力と反対側の力をより的確に発生させると共に、移動フードの案内突起と、リールシートの案内溝との間の案内をスムーズとしつつ接触領域を増やすことで、移動フード並びにリールシート本体の案内性能及び耐久性を向上させることが可能となる。
【００５５】
図６ａ、ｂに、本発明の一実施形態に係る釣竿用リールシートの案内溝及び案内突起の構成を示す。図６ａに示すように、本発明の一実施形態に係る釣竿用リールシート１０は、リール脚６ａが載置されるリール脚載置部１２ａと、左右一対の案内溝２９と、が形成されたリールシート本体１２と、リールシート本体１２の左右一対の案内溝２９に案内される左右一対の案内突起３１を備え、該リールシート１０の軸線方向に沿って移動可能に構成された筒状の移動フード２２と、を備える。図示の例では、本発明の一実施形態に係る釣竿用リールシート１０は、左右一対の案内溝２９が、その長手方向が前記リールシート１０の軸線と略平行となるように形成され、該案内溝の端部領域２９Ａでは、下側の方向（紙面の上下方向における下部方向）に傾斜している。
【００５６】
また、図６ａに示すように、本発明の一実施形態に係る釣竿用リールシート１０のリールシート本体１２には、下側の案内溝３０も形成され、該リールシート本体の該案内溝３０に案内される下側の案内突起３２を備え、該下側の案内溝３０は、リールシート本体１２の半径方向の溝の深さが、該下側の案内溝の端部領域３０Ａで該案内溝３０の先端に向かうにつれ徐々に浅くなるよう構成される。当該端部領域３０Ａにおける溝の深さは、例えば、０．５ｍｍ−０．７ｍｍの間で変化するよう構成される。
【００５７】
図６ｂに示すように、本発明の一実施形態に係る釣竿用リールシート１０は、左右一対の案内溝２９は、リールシート本体１２の半径方向の溝の深さが、該左右一対の案内溝２９の端部領域２９Ａで該案内溝２９の先端に向かうにつれ徐々に浅くなるよう構成される。当該端部領域３０Ａにおける溝の深さは、例えば、０．５ｍｍ−０．７ｍｍの間で変化するよう構成される。図示の例では、左右一対の案内溝２９の端部領域２９Ａと、下側の案内溝の端部領域３０Ａとは、リールシート１０の軸線方向（紙面の左右方向）で同じ長さ（Ａ）を備えるように構成されているが、これらの長さが異なるように形成されていても構わない。
【００５８】
これにより、可動フードがリール脚の端部に乗り上げることによる上側方向の力と反対側の力をさらに的確に発生させると共に、移動フードの案内突起と、リールシートの案内溝との間の案内をスムーズとしつつ接触領域を増やすことで、移動フード並びにリールシート本体の案内性能及び耐久性を向上させることが可能となる。
【００５９】
図７ａ、ｂに、本発明の一実施形態に係る釣竿用リールシートの案内溝及び案内突起の構成を示す。図７ａに示すように、本発明の一実施形態に係る釣竿用リールシート１０は、リール脚６ａが載置されるリール脚載置部１２ａと、左右一対の案内溝２９と、が形成されたリールシート本体１２と、リールシート本体１２の左右一対の案内溝２９に案内される左右一対の案内突起３１を備え、該リールシート１０の軸線方向に沿って移動可能に構成された筒状の移動フード２２と、を備える。図示の例では、本発明の一実施形態に係る釣竿用リールシート１０は、左右一対の案内溝２９が、その長手方向が前記リールシート１０の軸線と略平行となるように形成され、該案内溝の端部領域２９Ａでは、下側の方向（紙面の上下方向における下部方向）に傾斜している。
【００６０】
また、図７ａに示すように、本発明の一実施形態に係る釣竿用リールシート１０のリールシート本体１２には、下側の案内溝３０も形成され、該リールシート本体の該案内溝３０に案内される下側の案内突起３２を備え、該下側の案内溝３０は、リールシート本体１２の半径方向の溝の深さが、該下側の案内溝の端部領域３０Ａで該案内溝３０の先端に向かうにつれ徐々に浅くなるよう構成される。当該端部領域３０Ａにおける溝の深さは、例えば、０．５ｍｍ−０．７ｍｍの間で変化するよう構成される。
【００６１】
図７ｂに示すように、本発明の一実施形態に係る釣竿用リールシート１０は、左右一対の案内溝２９は、リールシート本体１２の半径方向の溝の深さが、該左右一対の案内溝２９の端部領域２９Ａで該案内溝２９の先端に向かうにつれ徐々に浅くなるよう構成される。当該端部領域３０Ａにおける溝の深さは、例えば、０．５ｍｍ−０．７ｍｍの間で変化するよう構成される。
【００６２】
本発明の一実施形態に係る釣竿用リールシート１０は、前記リールシート１０の軸線方向における前記下側の案内溝３０の端部領域３０Ａの長さ（Ｂ）が、前記リールシート１０の軸線方向における前記左右一対の案内溝２９の端部領域２９Ａの長さ（Ａ）と同じ若しくはそれより短くなるよう構成される。図示の例では、前記リールシート１０の軸線方向における前記下側の案内溝３０の端部領域３０Ａの長さ（Ｂ）が、前記リールシート１０の軸線方向における前記左右一対の案内溝２９の端部領域２９Ａの長さ（Ａ）とよりも短くなるよう構成されているが、これに限られない。
【００６３】
ここで、本発明の一実施形態に係る釣竿用リールシート１０は、前記左右一対の案内溝２９の、前記下側の方向への傾斜の開始位置が、前記リールシート１０の軸線方向でみて、前記下側の案内溝２９の、前記リールシート本体１２の半径方向の溝の深さが浅くなり始める位置とは異なるよう構成されても構わない。また、本発明の一実施形態に係る釣竿用リールシート１−は、前記左右一対の案内溝２９の、前記下側の方向への傾斜の開始位置が、前記リールシート１０の軸線方向かつ前記リール脚６ａを固定する方向でみて、前記下側の案内溝３０の、前記リールシート本体１２の半径方向の溝の深さが浅くなり始める位置と同じ若しくはそれよりも手前であるよう構成されてもよい。
【００６４】
これにより、可動フードがリール脚の端部に乗り上げることによる上側方向の力と反対側の力をより的確に発生させると共に、移動フードの案内突起と、リールシートの案内溝との間の案内をスムーズとしつつ接触領域を増やすことで、移動フード並びにリールシート本体の案内性能及び耐久性を向上させることが可能となる。
【００６５】
次に、図８ａ、ｂに、本発明の他の実施形態に係る釣竿用リールシートの案内突起の構成を示す。図８ａに示すように、本発明の一実施形態に係る釣竿用リールシート１０は、該リールシートの軸線方向に沿って移動可能に構成された筒状の移動フード２２の案内突起が、左右一対の案内溝２９に対応する左右一対の案内突起３１と、下側の案内溝３０に対応する下側の案内突起３２と、で構成され、前記下側の案内突起３２の、前記リールシート１０の軸線方向でみた断面形状は、略長方形の形状に形成される。図８ｂは、これをリールシート１０の半径方向の断面でみたものである。図示のように、移動フード２２には、左右一対の案内溝２９に対応する左右一対の案内突起３１と、下側の案内溝３０に対応する下側の案内突起３２とが形成されている。
【００６６】
次に、図９ａ、ｂに、本発明の他の実施形態に係る釣竿用リールシートの案内突起の構成を示す。図９ａに示すように、本発明の一実施形態に係る釣竿用リールシート１０は、該リールシートの軸線方向に沿って移動可能に構成された筒状の移動フード２２の案内突起が、左右一対の案内溝２９に対応する左右一対の案内突起３１と、下側の案内溝３０に対応する下側の案内突起３２と、で構成され、前記下側の案内突起の、前記リールシートの軸線方向でみた断面形状は、略長方形の形状であるが先端部分がテーパして形成される。当該テーパ角度は、例えば、０．０２ｍｍ／ｍｍであり、当該先端部分の長さは、例えば、１０ｍｍであるが、これらに限られない。図９ｂは、これをリールシート１０の半径方向の断面でみたものである。図示のように、移動フード２２には、左右一対の案内溝２９に対応する左右一対の案内突起３１と、下側の案内溝３０に対応する下側の案内突起３２とが形成されている。
【００６７】
次に、図１０ａ、ｂに、本発明の他の実施形態に係る釣竿用リールシートの案内突起の構成を示す。図１０ａに示すように、本発明の一実施形態に係る釣竿用リールシート１０は、該リールシートの軸線方向に沿って移動可能に構成された筒状の移動フード２２の案内突起が、前記左右一対の案内溝２９に対応する左右一対の案内突起３１と、前記下側の案内溝３０に対応する下側の案内突起３２と、で構成され、前記下側の案内突起３２の、前記リールシートの軸線方向でみた断面形状は、略逆Ｕ字の形状に形成される。図１０ｂは斜視図であり、下側の案内突起３２の詳細を示す。図示のように、下側の案内突起３２は、円盤状でかつお椀を逆さまにしたような立体的形状を備える。当該下側の案内突起３２の半径（最大半径）は、例えば、０．７ｍｍであるが、これに限られない。
【００６８】
次に、図１１ａ、ｂに、本発明の他の実施形態に係る釣竿用リールシートの案内突起の構成を示す。図１１ａに示すように、本発明の一実施形態に係る釣竿用リールシート１０は、該リールシートの軸線方向に沿って移動可能に構成された筒状の移動フード２２の案内突起が、前記左右一対の案内溝２９に対応する左右一対の案内突起３１と、前記下側の案内溝３０に対応する下側の案内突起３２と、で構成され、下側の案内突起３２の、前記リールシート１０の軸線方向でみた断面形状は、略長方形の形状であるが先端部分が曲線により緩やかにテーパして形成される。図１１ｂは斜視図であり、下側の案内突起３２の詳細を示す。図示のように、下側の案内突起３２は、略逆Ｕ字状に長手方向に延伸し、端部領域では緩やかにテーパした立体的形状を備える。
【００６９】
このように、下側の案内突起３２の先端部分を傾斜させたり、テーパさせたりすることで、移動フードの案内突起と、リールシートの案内溝との間の案内をスムーズにしつつ接触領域を増やすことができ、移動フード並びにリールシート本体の案内性能や耐久性よりを向上させることが可能となる。なお、上記実施形態では、下側の案内溝３０に対応する下側の案内突起３２の形状につき説明したが、これに代えて、若しくはこれに加えて、左右一対の案内溝２９に対応する左右一対の案内突起３１を上記と同様に構成してもよい。その場合、下側の案内突起３２と、左右一対の案内突起３１とが異なる立体的形状を備えるよう構成しても構わない。左右一対の案内突起３１や下側の案内突起３２の寸法は、左右一対の案内溝２９や下側の案内溝３０に合わせて適宜設定することができ、特定の寸法に限定されるものではない。
【００７０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００７１】
１  釣竿
２  竿体
３  元竿
５  中竿
６  リール
６ａ  リール脚
７  穂先竿
９  リールシート
１２  リールシート本体
１２ａ  リール脚載置面
１４  固定フード
２２  移動フード
２９  左右一対の案内溝
２９Ａ  端部領域
３０  下側の案内溝
３０Ａ  端部領域
３１  左右一対の案内突起
３２  下側の案内突起
Ａ  端部領域の長さ
Ｂ  端部領域の長さ
【図１】
2019176777.tif 000003
【図２】
2019176777.tif 000004
【図３】
2019176777.tif 000005
【図４ａ】
2019176777.tif 000006
【図４ｂ】
2019176777.tif 000007
【図５ａ】
2019176777.tif 000008
【図５ｂ】
2019176777.tif 000009
【図６ａ】
2019176777.tif 000010
【図６ｂ】
2019176777.tif 000011
【図７ａ】
2019176777.tif 000012
【図７ｂ】
2019176777.tif 000013
【図８ａ】
2019176777.tif 000014
【図８ｂ】
2019176777.tif 000015
【図９ａ】
2019176777.tif 000016
【図９ｂ】
2019176777.tif 000017
【図１０ａ】
2019176777.tif 000018
【図１０ｂ】
2019176777.tif 000019
【図１１ａ】
2019176777.tif 000020
【図１１ｂ】
2019176777.tif 000021